【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
略棒状に形成された第１及び第２の磁性体コアが該第１及び第２の磁性体コアの短手方向で対向されて組み合わされることにより形成されるコア部材と、
該コア部材に巻回される第１のコイルと、
前記第２の磁性体コアに巻回される第２のコイルと、
前記コア部材の筒孔に挿入される略棒状の芯体と、
該芯体の一端に加えられた圧力を検出する筆圧検出素子と、
共振回路を構成するための前記第１のコイルに接続された少なくとも一のコンデンサと、
前記第２のコイルの導通制御を行うスイッチとを備え、
前記コア部材には、前記第１及び第２の磁性体コアの間に前記筒孔が形成されるとともに、更に前記コア部材は筒状に形成されること
を特徴とする位置指示器。
【請求項２】
前記第１又は第２の磁性体コアの少なくともいずれか一方に、前記第１又は第２の磁性体コアの軸方向に延在して形成される凹部を設けて前記筒孔を形成した
請求項１記載の位置指示器。
【請求項３】
前記凹部を前記第１及び第２の磁性体コアの双方に設け、前記第１の磁性体コアの凹部と前記第２の磁性体コアの凹部とを対向させて前記コア部材を形成した
請求項２に記載の位置指示器。
【請求項４】
前記第２のコイルは、前記第２の磁性体コアの凹部に沿って巻回される
請求項３に記載の位置指示器。
【請求項５】
前記コア部材は、略円筒状に形成される
請求項４に記載の位置指示器。
【請求項６】
前記第１のコイルの端部と前記第２のコイルの端部は、前記コア部材の長手方向の一方の端部側に位置するように前記第１及び前記第２のコイルを巻回した
請求項５に記載の位置指示器。
【請求項７】
前記第１及び第２の磁性体コアは、スペーサを介して前記第１及び第２の磁性体コアの短手方向で対向されて組み合わされる、
請求項１の位置指示器。
【請求項８】
前記スペーサは、非絶縁部材からなる
請求項７に記載の位置指示器。
【請求項９】
前記スペーサは、さらに絶縁性を有する
請求項７に記載の位置指示器。
【請求項１０】
略棒状に形成された第１及び第２の磁性体コアが該第１及び第２の磁性体コアの短手方向で対向されて組み合わされることにより筒孔が形成される筒状のコア部材と、
前記コア部材に巻回される第１のコイルと、
前記第２の磁性体コアに巻回される第２のコイルと、
を備える回路部品。
【請求項１１】
略棒状に形成された第１及び第２の磁性体コアが該第１及び第２の磁性体コアの短手方向で対向されて組み合わされることにより筒孔が形成される筒状のコア部材と、該コア部材に巻回される第１のコイルと、前記第２の磁性体コアに巻回される第２のコイルと、前記コア部材の前記筒孔に挿入される略棒状の芯体と、該芯体の一端に加えられた圧力を検出する筆圧検出素子と、共振回路を構成するための前記第１のコイルに接続された少なくとも一のコンデンサと、前記第２のコイルを導通制御するスイッチと、を有する位置指示器と、
該位置指示器により位置を指示するための入力面と、該位置指示器の前記コア部材から放射される磁界の分布により前記入力面上の座標を求める座標入力回路と、前記スイッチが導通したとき、及び導通しないときの２つの座標から前記位置指示器の前記入力面に対し垂直方向を軸とする回転角を算出する回転角算出回路と、を有する位置検出装置と、
を備える入力装置。
【手続補正２】
【補正対象書類名】明細書
【補正対象項目名】０００７
【補正方法】変更
【補正の内容】
【０００７】
各磁性体コアには、それぞれ制御コイルが横に巻かれている。さらに、２個の磁性体コアには、１本の送信コイルがこの２個の磁性体コアを束ねるように横に巻かれている。送信コイルの中心線と、ペン先の位置と、位置指示器の中心線と、束ねた２個の磁性体コアの長手方向の中心線とは、一致している。そして、タブレットは、制御コイルから発生する傾斜検出用信号を検出する検出回路と、その検出回路の検出内容に基づいて位置指示器の傾斜角度を判別する制御回路と、を備えている。
【手続補正３】
【補正対象書類名】明細書
【補正対象項目名】００１９
【補正方法】変更
【補正の内容】
【００１９】
〈１．第１の実施の形態の構成〉
［入力装置］
まず、本発明が適用される入力装置の概略構成について図１を参照して説明する。
本発明の実施の形態（以下、「本例」という。）である入力装置１０は、位置検出装置１と、この位置検出装置１に情報を入力する位置指示器２とから構成されている。位置指示器２は、電磁誘導方式により位置検出装置１に対して位置を指示する。
【手続補正４】
【補正対象書類名】明細書
【補正対象項目名】００２０
【補正方法】変更
【補正の内容】
【００２０】
［位置検出装置］
次に、位置検出装置１の構成について説明する。
この位置検出装置１は、位置指示器２で指示した位置を検出する検出部４と、この検出部４を収納する筐体５とから構成されている。筐体５は、中空の薄い略直方体に形成されており、検出部４の入力面４ａを露出させるための開口部６を有する上部筐体７と、この上部筐体７に重ね合わされる図示しない下部筐体とを有している。
【手続補正５】
【補正対象書類名】明細書
【補正対象項目名】００２２
【補正方法】変更
【補正の内容】
【００２２】
位置検出装置１は、位置指示器２により検出部４の入力面４ａに対してポインティング操作された位置を検出し、このポインティング操作された位置を位置情報として外部装置に送信する。その結果、送信された位置指示器２の位置情報に基づいて、外部装置にインストールされた各種ソフトウェアで絵を描いたり、文字を入力したりすることができる。
【手続補正６】
【補正対象書類名】明細書
【補正対象項目名】００２３
【補正方法】変更
【補正の内容】
【００２３】
［位置検出装置の回路構成例］
次に、位置検出装置１の回路構成について、図２を参照して説明する。
【手続補正７】
【補正対象書類名】明細書
【補正対象項目名】００２４
【補正方法】変更
【補正の内容】
【００２４】
位置検出装置１の検出部４（図１参照）には、Ｘ軸方向ループコイル群１１ａと、Ｙ軸方向ループコイル群１１ｂとを積層させて設けることにより、位置検出コイル１１が形成されている。各ループコイル群１１ａ，１１ｂは、例えば、それぞれ４０本の矩形のループコイルからなっている。各ループコイル群１１ａ，１１ｂを構成する各ループコイルは、等間隔に並んで順次重なり合うように配置されている。
【手続補正８】
【補正対象書類名】明細書
【補正対象項目名】００３３
【補正方法】変更
【補正の内容】
【００３３】
［位置指示器］
次に、位置指示器２の概略構成について図３を参照して説明する。
【手続補正９】
【補正対象書類名】明細書
【補正対象項目名】００３６
【補正方法】変更
【補正の内容】
【００３６】
ケース３１は、位置指示器２の外装部として設けられており、例えば一方が閉じられた有底の円筒状に形成されている。このケース３１は、軸方向に重ね合わせて組立結合される第１のケース４１と第２のケース４２とから構成されている。第１のケース４１は、軸方向の一端側が略円錐状に形成されており、その先端に開口部４１ａを有している。また、第１のケース４１の軸方向の他端は、開口している。この第１のケース４１の内部には、芯体３２、コア部材３４及び可変容量コンデンサ３７等が配置されている。
【手続補正１０】
【補正対象書類名】明細書
【補正対象項目名】００３８
【補正方法】変更
【補正の内容】
【００３８】
芯体３２は、略棒状の部材からなり、軸方向の一端に形成された指示部３２ａと、指示部３２ａに連続する軸部３２ｂとを有している。指示部３２ａは、略円錐状に形成されており、ペン先として機能する。この指示部３２ａは、第１のケース４１の開口部４１ａを貫通してケース４１の外側に突出する。
【手続補正１１】
【補正対象書類名】明細書
【補正対象項目名】００４２
【補正方法】変更
【補正の内容】
【００４２】
［コア部材］
次に、コア部材３４と、第１のコイル３５及び第２のコイル３６について図４及び図５を参照して説明する。
【手続補正１２】
【補正対象書類名】明細書
【補正対象項目名】００４３
【補正方法】変更
【補正の内容】
【００４３】
この図４及び図５に示すように、コア部材３４は、第１の磁性体コア４４と、第２の磁性体コア４５から構成されている。このコア部材３４は、２つの磁性体コア４４,４５をケース３１の軸方向と直交する方向に対向させて組み合わせることにより筒孔３４ａを有する円筒状に形成されている。２つの磁性体コア４４,４５は、ともに略同一の形状に形成されており、中心角が略１８０度の円弧状の部材として形成されている。なお、２つの磁性体コア４４,４５の材質としては、例えばフェライト材を用いるものが好ましい。
【手続補正１３】
【補正対象書類名】明細書
【補正対象項目名】００４６
【補正方法】変更
【補正の内容】
【００４６】
第１のコイル３５は、コア部材３４の外周面に巻かれている。一方、第２のコイル３６は、第２の磁性体コア４５の外周面に巻かれている。この第２のコイル３６は、第２の磁性体コア４５の凹面４５ｄに沿って湾曲するように巻かれる。そのため、芯体３２の直径をコア部材３４の筒孔３４ａの直径と略等しく設定しても、芯体３２が第２のコイル３６に干渉しない。
【手続補正１４】
【補正対象書類名】明細書
【補正対象項目名】００４９
【補正方法】変更
【補正の内容】
【００４９】
スペーサ４７Ａ,４７Ｂは、第２のコイル３６に流れる電流が第１の磁性体コア４４に影響を及ぼすことを防止或いは軽減するために用いられる。そのため、スペーサ４７Ａ,４７Ｂの材質は、非磁性材料であり、且つ絶縁体であればよい。これらスペーサ４７Ａ,４７Ｂの材質には、例えば、ポリエチレンテレフタラート（ＰＥＴ）などの合成樹脂を適用することができる。また、スペーサ４７Ａ,４７Ｂの厚みは、１００〜５００μｍ程度が好ましい。
【手続補正１５】
【補正対象書類名】明細書
【補正対象項目名】００７２
【補正方法】変更
【補正の内容】
【００７２】
次に、処理部２５は、Ｙ軸方向ループコイル群１１ｂの各ループコイルを順次走査・選択（Ｙ軸全体スキャン）し（ステップＳ４）、Ｙ軸方向ループコイル群１１ｂの各ループコイルにおける電磁波の送受信を行う。
図９は、Ｙ軸全体スキャン動作における各部の波形の一例を示すものである。図９において、（ａ）、（ｂ）、（ｍ）、（ｎ）に示す各信号は、図５の（ａ）、（ｂ）、（ｍ）、（ｎ）に示す信号と同様の信号である。
【手続補正１６】
【補正対象書類名】明細書
【補正対象項目名】０１１０
【補正方法】変更
【補正の内容】
【０１１０】
この式から最大受信電圧が検出されたループコイルの中心座標の補正値ｂが求まる。
【数４】
2010191588.tif 000001
【手続補正１７】
【補正対象書類名】明細書
【補正対象項目名】０１１１
【補正方法】変更
【補正の内容】
【０１１１】
［回転角の演算］
次に、ステップＳ１２の処理において行われる回転角の演算について、図１３を参照して説明する。